【手続補正書】
【提出日】平成20年9月10日(2008.9.10)
【手続補正１】
【補正対象書類名】特許請求の範囲
【補正対象項目名】全文
【補正方法】変更
【補正の内容】
【特許請求の範囲】
【請求項１】
それぞれの画像に含まれる所定の被写体の画像である被写体画像を検出する検出手段と、
前記画像を順に切り替えて表示する場合、前記被写体画像に応じた、画像の切り替えの効果を適用した前記画像の表示を制御する表示制御手段と
を備える画像処理装置。
【請求項２】
前記検出手段は、それぞれの前記画像に含まれる前記被写体画像の数を検出し、
予め記憶されている前記画像のうち、１つ以上の前記被写体画像が検出された前記画像を読み出すように前記画像の読み出しを制御する読み出し制御手段をさらに備え、
前記表示制御手段は、読み出された前記画像の表示を制御する
請求項１に記載の画像処理装置。
【請求項３】
前記検出手段は、それぞれの前記画像に含まれる前記被写体画像の数を検出し、
前記表示制御手段は、前記被写体画像の数に応じた、画像の切り替えの効果を適用した前記画像の表示を制御する
請求項１に記載の画像処理装置。
【請求項４】
前記検出手段は、前記被写体画像と、前記被写体画像の属性情報を検出し、
前記表示制御手段は、前記被写体画像の属性に応じた、画像の切り替えの効果を適用した前記画像の表示を制御する
請求項１に記載の画像処理装置。
【請求項５】
前記検出手段は、前記被写体画像としての顔画像と、前記被写体画像の属性情報としての、前記顔画像の大きさ、位置または顔の向きを表す情報を検出する
請求項４に記載の画像処理装置。
【請求項６】
前記検出手段は、それぞれの前記画像について、前記被写体画像の数、それぞれの前記被写体画像の属性情報を検出し、
それぞれの前記画像と、それぞれの前記画像における、前記被写体画像の数、それぞれの前記被写体画像の属性情報とを関係付ける関係付け手段をさらに備え、
前記表示制御手段は、前記被写体画像に関係付けられている、それぞれの前記画像における、前記被写体画像の数、それぞれの前記属性情報に応じた、画像の切り替えの効果を適用した前記画像の表示を制御する
請求項１に記載の画像処理装置。
【請求項７】
それぞれの画像に含まれる所定の被写体の画像である被写体画像を検出する検出ステップと、
前記画像を順に切り替えて表示する場合、前記被写体画像に応じた、画像の切り替えの効果を適用した前記画像の表示を制御する表示制御ステップと
を含む画像処理方法。
【請求項８】
それぞれの画像に含まれる所定の被写体の画像である被写体画像を検出する検出ステップと、
前記画像を順に切り替えて表示する場合、前記被写体画像に応じた、画像の切り替えの効果を適用した前記画像の表示を制御する表示制御ステップと
を含む処理をコンピュータに実行させるプログラム。
【手続補正２】
【補正対象書類名】明細書
【補正対象項目名】００１０
【補正方法】変更
【補正の内容】
【００１０】
本発明の一側面は、それぞれの画像に含まれる所定の被写体の画像である被写体画像を検出する検出手段／ステップと、前記画像を順に切り替えて表示する場合、前記被写体画像に応じた、画像の切り替えの効果を適用した前記画像の表示を制御する表示制御手段／ステップとを備える／含む画像処理装置若しくは方法、またはプログラムである。
【手続補正３】
【補正対象書類名】明細書
【補正対象項目名】００１１
【補正方法】変更
【補正の内容】
【００１１】
本発明の一側面においては、それぞれの画像に含まれる所定の被写体の画像である被写体画像が検出され、前記画像を順に切り替えて表示する場合、前記被写体画像に応じた、画像の切り替えの効果を適用した前記画像の表示が制御される。
【手続補正４】
【補正対象書類名】明細書
【補正対象項目名】００１２
【補正方法】変更
【補正の内容】
【００１２】
前記検出手段は、それぞれの前記画像に含まれる前記被写体画像の数を検出し、画像処理装置に、予め記憶されている前記画像のうち、１つ以上の前記被写体画像が検出された前記画像を読み出すように前記画像の読み出しを制御する読み出し制御手段をさらに設け、前記表示制御手段は、読み出された前記画像の表示を制御するようにすることができる。
【手続補正５】
【補正対象書類名】明細書
【補正対象項目名】００１３
【補正方法】変更
【補正の内容】
【００１３】
前記検出手段は、それぞれの前記画像に含まれる前記被写体画像の数を検出し、前記表示制御手段は、前記被写体画像の数に応じた、画像の切り替えの効果を適用した前記画像の表示を制御するようにすることができる。
【手続補正６】
【補正対象書類名】明細書
【補正対象項目名】００１４
【補正方法】変更
【補正の内容】
【００１４】
前記検出手段は、前記被写体画像と、前記被写体画像の属性情報を検出し、前記表示制御手段は、前記被写体画像の属性に応じた、画像の切り替えの効果を適用した前記画像の表示を制御するようにすることができる。
【手続補正７】
【補正対象書類名】明細書
【補正対象項目名】００１５
【補正方法】変更
【補正の内容】
【００１５】
前記検出手段は、前記被写体画像としての顔画像と、前記被写体画像の属性情報としての、前記顔画像の大きさ、位置または顔の向きを表す情報を検出するようにすることができる。
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】変更
【補正の内容】
【００１７】
前記検出手段は、それぞれの前記画像について、前記被写体画像の数、それぞれの前記被写体画像の属性情報を検出し、画像処理装置に、それぞれの前記画像と、それぞれの前記画像における、前記被写体画像の数、それぞれの前記被写体画像の属性情報とを関係付ける関係付け手段をさらに設け、前記表示制御手段は、前記被写体画像に関係付けられている、それぞれの前記画像における、前記被写体画像の数、それぞれの前記属性情報に応じた、画像の切り替えの効果を適用した前記画像の表示を制御するようにすることができる。
【手続補正１０】
【補正対象書類名】明細書
【補正対象項目名】００２１
【補正方法】変更
【補正の内容】
【００２１】
本発明の一側面の画像処理装置は、第１に、それぞれの画像に含まれる所定の被写体の画像である被写体画像を検出する検出手段（例えば、図３の顔検出部３２）と、前記画像を順に切り替えて表示する場合、前記被写体画像に応じた、画像の切り替えの効果を適用した前記画像の表示を制御する表示制御手段（例えば、図３の表示制御部３６）とを備える。
【手続補正１１】
【補正対象書類名】明細書
【補正対象項目名】００２２
【補正方法】変更
【補正の内容】
【００２２】
本発明の一側面の画像処理装置は、第２に、前記検出手段が、それぞれの前記画像に含まれる前記被写体画像の数を検出し、画像処理装置に、予め記憶されている前記画像のうち、１つ以上の前記被写体画像が検出された前記画像を読み出すように前記画像の読み出しを制御する読み出し制御手段（例えば、図３の読み出し制御部３５）をさらに設け、前記表示制御手段が、読み出された前記画像の表示を制御するようにすることができる。
【手続補正１２】
【補正対象書類名】明細書
【補正対象項目名】００２３
【補正方法】変更
【補正の内容】
【００２３】
本発明の一側面の画像処理装置は、第３に、前記検出手段は、それぞれの前記画像について、前記被写体画像の数、それぞれの前記被写体画像の属性情報を検出し、画像処理装置に、それぞれの前記画像と、それぞれの前記画像における、前記被写体画像の数、それぞれの前記被写体画像の属性情報とを関係付ける関係付け手段（例えば、図３の顔情報データベース３３）をさらに設け、前記表示制御手段は、前記被写体画像に関係付けられている、それぞれの前記画像における、前記被写体画像の数、それぞれの前記属性情報に応じた、画像の切り替えの効果を適用した前記画像の表示を制御するようにすることができる。
【手続補正１３】
【補正対象書類名】明細書
【補正対象項目名】００２４
【補正方法】変更
【補正の内容】
【００２４】
本発明の一側面の画像処理方法またはプログラムは、それぞれの画像に含まれる所定の被写体の画像である被写体画像を検出する検出ステップ（例えば、図４のステップＳ３１乃至ステップＳ３８）と、前記画像を順に切り替えて表示する場合、前記被写体画像に応じた、画像の切り替えの効果を適用した前記画像の表示を制御する表示制御ステップ（例えば、図８のステップＳ５６）とを含む。